(57)【要約】【課題】ダブルディスプレイパネル用駆動回路を提供する。【解決手段】駆動回路２３は第１、第２パネルを駆動し、ＡＳＩＣと二対の駆動ポートを備える。ＡＳＩＣは反対位相の駆動信号対を出力し、第１ポート対は第１パネルとＡＳＩＣに電気的に接続され、第１パネルの起動決定の駆動信号対を受信し、第２ポート対は第２パネルとＡＳＩＣに電気的に接続され、第２パネルの起動決定の駆動信号対を受信する。両パネルの起動決定の駆動信号対は同一でパネルの一方が同時に起動可能である。【選択図】      図２−ａ
2004334203.tif 000002
【特許請求の範囲】
【請求項１】
第１のディスプレイパネルと第２のディスプレイパネルを駆動するための駆動回路であって、
互いに反対位相の２つの信号を具備した駆動信号対を出力する制御回路と、
前記駆動信号対を受信するために、前記第１のディスプレイパネルと前記制御回路とに電気的に接続される第１の駆動ポート対と、
前記駆動信号対を受信するために、前記第２のディスプレイパネルと前記制御回路とに電気的に接続される第２の駆動ポート対とを有することを特徴とするダブルディスプレイパネル用駆動回路。
【請求項２】
請求項１記載のダブルディスプレイパネル用駆動回路において、
前記第１の駆動ポート対と前記第２の駆動ポート対との両方は第１の駆動ポートおよび第２の駆動ポートを有することを特徴とするダブルディスプレイパネル用駆動回路。
【請求項３】
請求項２記載のダブルディスプレイパネル用駆動回路において、
前記駆動信号対は、互いに反対位相の第１の駆動信号と第２の駆動信号とを有し、前記第１の駆動信号は、前記第１の駆動ポート対における前記第１の駆動ポートと、前記第２の駆動ポート対における前記第２の駆動ポートとに入力され、前記第２の駆動信号は、前記第１の駆動ポート対における前記第２の駆動ポートと、前記第２の駆動ポート対における前記第１の駆動ポートとに入力されていることを特徴とするダブルディスプレイパネル用駆動回路。
【請求項４】
請求項１記載のダブルディスプレイパネル用駆動回路において、
２つのインバータをさらに有し、
前記第１の駆動ポート対と前記第２の駆動ポート対との両方は第１の駆動ポートおよび第２の駆動ポートを有し、前記第２の駆動ポート対における前記第１の駆動ポートおよび前記第２の駆動ポートは、前記インバータからの出力を受信するように、前記インバータの一方に電気的に接続されていることを特徴とするダブルディスプレイパネル用駆動回路。
【請求項５】
請求項４記載のダブルディスプレイパネル用駆動回路において、
前記駆動信号対は、互いに反対位相の第１の駆動信号と第２の駆動信号とを有し、前記第１の駆動信号は、前記第１の駆動ポート対における前記第１の駆動ポートと、前記第２の駆動ポート対における前記第１の駆動ポートに電気的に接続された前記インバータとに入力され、前記第２の駆動信号は、前記第１の駆動ポート対における第２の駆動ポートと、前記第２の駆動ポート対における前記第２の駆動ポートに電気的に接続された前記インバータとに入力されていることを特徴とするダブルディスプレイパネル用駆動回路。
【請求項６】
請求項１記載のダブルディスプレイパネル用駆動回路において、
前記制御回路は、ＡＳＩＣ、プロセッサ、コントローラ、ＥＰＲＯＭ、および／またはソフトウェアの少なくとも１つにより実行されていることを特徴とするダブルディスプレイパネル用駆動回路。
【請求項７】
第１のディスプレイパネルと第２のディスプレイパネルとを駆動するためのダブルディスプレイパネル用駆動回路であって、
前記第１のディスプレイパネルの動作を起動するか否かを決定する第１のイネーブルポートと、
前記第２のディスプレイパネルを起動するか否かを決定するのに使用される信号を受信するインバータと、
前記インバータの出力ターミナルに電気的に接続された第２のイネーブルポートと、
前記第１のイネーブルポートと前記インバータとにイネーブル信号を出力する制御回路とを有することを特徴とするダブルディスプレイパネル用駆動回路。
【請求項８】
請求項７記載のダブルディスプレイパネル用駆動回路において、
前記制御回路は、ＡＳＩＣ、プロセッサ、コントローラ、ＥＰＲＯＭ、および／またはソフトウェアの少なくとも１つにより実行されていることを特徴とするダブルディスプレイパネル用駆動回路。
【請求項９】
第１および第２のディスプレイデバイスを制御する制御回路であって、
前記第１および第２のディスプレイデバイスに出力を提供する共有出力ポートと、
前記第１および第２のディスプレイデバイス用にそれぞれ意図された第１および第２の信号に前記出力ポートを提供する制御デバイスとを有し、
前記第１の信号が前記第１のディスプレイデバイスで認識可能であるとともに、前記第２の信号が前記第２のディスプレイデバイスで認識可能であるような程度まで、前記第１および第２の信号は異なっていることを特徴とする制御回路。
【請求項１０】
請求項９記載の制御回路において、
前記第１の信号が前記第２の信号に対して反転されていることを特徴とする制御回路。
【請求項１１】
第１および第２のディスプレイデバイスと、
共有出力ポートを介して第１および第２の制御信号を前記第１および第２のディスプレイデバイスに提供し、前記第１の制御信号が前記第１のディスプレイデバイスで認識可能であるとともに、前記第２の制御信号が前記第２のディスプレイデバイスで認識可能であるような程度まで前記第１および第２の信号が異なるようにした駆動回路と、
表示データを制御回路に提供するプロセッサとを有することを特徴とする電子デバイス。
【請求項１２】
入力制御プロトコルおよびフォーマットに関して類似する第１および第２のディスプレイデバイスと、
共有出力ポートを介して前記第１および第２のディスプレイデバイスに制御信号を提供する駆動回路とを有し、
前記共有出力ポートを介して前記第１および第２のディスプレイデバイスの一方を選択的に制御するように前記制御信号は構成され、前記制御信号の構成を補完するように前記第１および第２のディスプレイデバイスは前記共有出力ポートに動作可能に結合されて、前記第１および第２のディスプレイデバイスが、前記制御がどのディスプレイデバイス用に意図されているかを消極的に識別することを可能にしたことを特徴とするディスプレイ装置。
【発明の詳細な説明】
【技術分野】
【０００１】
本発明は、ディスプレイ用の駆動回路に関し、さらに詳細にはダブル（デュアル）ディスプレイパネル用の駆動回路に関する。
【背景技術】
【０００２】
多方面の情報を備える大容量データを受信するディスプレイパネルにおける迅速な発達要件を受け入れるために、パーソナル電子製品の、たとえば、携帯電話またはパーソナルコンピュータの電子部品は、最近の市場で普通に使用されている新しいデュアルスクリーン携帯電話またはマルチスクリーンパーソナルコンピュータの利用へ徐々に変化している。その結果、電子部品は、たった１つのディスプレイパネルだけ使用されていた初期の基準仕様から離れている。
【０００３】
一般的に言って、そのようなマルチディスプレイパネルを駆動するための駆動回路は、それぞれ異なるディスプレイパネルがディスプレイ用に必要とされる制御命令およびデータを提供するタイミングバスとデータバスとを有している。たとえば、図１で示されるように、１つの特定用途向け集積回路（ＡＳＩＣ）１００だけを使うディスプレイパネル１１０とディスプレイパネル１２０とを制御するために、それに従って、タイミングバス１１２，１２２とデータバス１１４，１２４が、ディスプレイパネル１１０，１２０に関連される制御命令とディスプレイデータとをそれぞれ提供しなければならない。
【発明の開示】
【発明が解決しようとする課題】
【０００４】
しかしながら、必要とされる全ての働きを達成するために、ＡＳＩＣ１００がより多くのピンを備え、それによって集積回路（ＩＣ）の梱包および設計をさらに困難にしていることは明らかである。従って、少数ピンを持つＡＳＩＣを備えた２つのディスプレイパネルを駆動するための回路を持つことが切望されている。
【０００５】
本発明は、共有入力を使って類似の入力制御信号プロトコルまたはフォーマットを備える２つのディスプレイデバイスを制御する駆動回路を提供する。
【課題を解決するための手段】
【０００６】
一態様では、本発明は、ディスプレイパネルに結合および共有される共有出力ポートを使用したダブルディスプレイパネル用駆動回路を提供する。ディスプレイパネルは、その入力制御信号プロトコルおよび／またはフォーマットに関して類似設計であっても良い。表示対象とされるディスプレイパネルの一方の選択に応答するようにドライバは構築および構成され、対象とされるディスプレイパネルが出力信号を認識またはそれに応答する一方で、対象とされないディスプレイパネルが出力信号に反応しないように構成された信号であって、２つのディスプレイパネルの間で識別可能である信号を、ドライバは出力する。本発明の他の態様では、ディスプレイパネル、および／または、ディスプレイパネルと共有ドライバの出力ポートとの接続部は、ディスプレイパネルがドライバの出力と互換性を持つことが可能なように、補完的な方法で構成されても良い。
【０００７】
一態様では、ドライバは、互いに反対位相の２つの信号を含んだ駆動信号対を出力するＡＳＩＣからなる。第１の駆動ポート対は、第１のディスプレイパネルとＡＳＩＣとに電気的に接続され、第１のディスプレイパネルを起動するか否かを決定する駆動信号対を受信する。第２の駆動ポート対は、第２のディスプレイパネルとＡＳＩＣとに電気的に接続され、第２のディスプレイパネルを起動するか否かを決定する駆動信号を受信する。第１または第２のディスプレイパネルを起動する駆動信号対は両パネルに関して同一であり、ディスプレイパネルの一方だけが同時に起動可能である。
【０００８】
本発明の他の態様によれば、第１の駆動ポート対と第２の駆動ポート対との両方は、第１の駆動ポートおよび第２の駆動ポートを有する。さらに、駆動信号対は、互いに反対位相の第１の駆動信号と第２の駆動信号とからなる。第１の駆動信号は、第１の駆動ポート対における第１の駆動ポートと、第２の駆動ポート対における第２の駆動ポートとに入力される。それに対し、第２の駆動信号は、第１の駆動ポート対における第２の駆動ポートと、第２の駆動ポート対における第１の駆動ポートとに入力される。従って、第２のディスプレイパネルで受信される信号は、第１のディスプレイパネルで受信される信号に対して反転される。
【０００９】
本発明の他の態様によれば、第２の駆動ポート対における第１の駆動ポートおよび第２の駆動ポートはそれぞれ、インバータからの出力を受信するように、２つのインバータの一方に電気的に接続されている。この態様では、第１の駆動信号は、第１の駆動ポート対における第１の駆動ポートと、第２の駆動ポート対における第１の駆動ポートに電気的に接続されたインバータとに入力され、第２の駆動信号は、第１の駆動ポート対における第２の駆動ポートと、第２の駆動ポート対における第２の駆動ポートに電気的に接続されるインバータとに入力される。従って、第２のディスプレイパネルで受信される信号は、第１のディスプレイパネルで受信される信号に対して反転される。
【００１０】
その上、本発明の他の態様は、第１のディスプレイパネルおよび第２のディスプレイパネルを駆動するために、ダブルディスプレイパネル用駆動回路を提供する。ダブルディスプレイパネル用駆動回路は、２つのイネーブルポート、インバータ、および、ＡＳＩＣからなる。ＡＳＩＣは、イネーブルポートにおける第１のイネーブルポートとインバータとにイネーブル信号を出力する。受信信号に従って第１のディスプレイパネルの動作を起動するか否かを第１のイネーブルポートは決定する。インバータは、第２のディスプレイパネルを起動するか否かを決定するための信号を受信し、そして、第２のディスプレイパネルの動作が起動されるべきか否かを反転信号が決定する場合には、受信信号の反転を第２のイネーブルポートに出力する。従って、第２のディスプレイパネルは、第１のディスプレイパネルで受信される信号に対して反転された信号を受信する。
【００１１】
さらに、第１および第２のパネルは、２つのパネルを備えるデバイス（たとえば、携帯電話）を製造する時や２つのパネルにおける機能を区別する機能部品を製造する時に、選択または結合を可能にする他のタイプの変換要素またはジャンパ（jumper）を含めて、同一設計であっても良い。
【００１２】
要するに、このような特別な回路設計によって、本発明による同一セットのピンから出力される信号は、異なるタイミングで動作を行うために異なったパネルを起動でき、従って、１セットのタイミングバスおよびデータバスだけが、２つのディスプレイパネルにおける通常動作をサポートするために必要とされる。それ故に、２セットのタイミングバスおよびデータバスを必要とする従来技術と比較して、本発明のＡＳＩＣに必要とされるピン数は明らかに低減される。
【発明を実施するための最良の形態】
【００１３】
添付図面は、発明のさらなる理解を与えるために包含され、この明細書の一部に組み込まれるとともにその一部を構成している。図面は、明細書の記述と同時に発明の好適な実施の形態を例示し、発明の原理を説明するのに役立っている。
【００１４】
本記述は、本発明を実行するのに現在考慮されるベストモードである。この記述は、発明の一般的な原理を例示する目的で行われ、限定的な意味で取られるべきでない。発明の範囲は、添付された請求項を参照することによって決定されるのがベストである。本発明は、様々な実施の形態および図面に関して説明される。発明の範囲および趣旨から逸脱せずにそのような教えを考慮して変更および改良が達成されることは、当業者によって理解されるだろう。
【００１５】
図２−ａは、本発明の一実施の形態による電子デバイス２０の概略的なブロック図である。電子デバイス２０は、プロセッサ２０２、駆動回路２３を有するディスプレイ装置、および、２つのディスプレイデバイス２１０，２２０を備えている。プロセッサ２０２は、信号ライン２２を介してデータおよび／または命令を駆動回路２３に送る。駆動回路２３は制御回路２１と２セットの駆動ポート２１５，２２５とを備え、制御回路２１は制御デバイス２００および共有出力ポート２０５からなり、２セットの駆動ポート２１５，２２５は共有出力ポート２０５からの制御信号をディスプレイデバイス２１０，２２０にそれぞれ送信する。図２−ｂで示すように、制御回路２１はＡＳＩＣ２５０にすることがある。あるいはまた、制御回路２１は、他のハードウェアによって、および／または、プロセッサ、コントローラ、ＥＰＲＯＭなどのようなファームウェアによって、および／または、ソフトウェアによって実施可能である。共有出力ポート２０５は、図２−Ｂで示されるような第１および第２のディスプレイデバイス２１０，２２０と共有するまたは共有されるタイミングバス２３０とデータバス２４０とを備えている。信号ライン２２から送信されるデータに応答して、制御デバイス２００は、第１および第２のディスプレイデバイス２１０，２２０のうちの１つから対象とされるディスプレイデバイスを選択する。制御回路２１は、共有されるまたは共有するタイミングバス２３０およびデータバス２４０を介して選択的に第１のディスプレイデバイス２１０と第２のディスプレイデバイス２２０とのディスプレイ動作を制御する。第１および第２のディスプレイデバイス２１０，２２０は、ＣＲＴまたはフラットディスプレイパネルなどのように、公知技術であり特定用途に適切なディスプレイデバイスであることがある。
【００１６】
図２−ｂ、図３−ａ、および図４−ａの形態では、それぞれの実施の形態における範囲内の２つのディスプレイパネルは、入力される制御信号プロトコルおよび／またはフォーマットに関して類似設計である。それらが、同一のサイズ、構造、および性能特性を有する必要はない。要するに、２つのディスプレイパネルは、交換されても良いし、回路への変更を行わずにドライバとともに動作可能である。本発明の範囲外では、２つのディスプレイパネルは、共有出力ポートから受信されるドライバ出力信号のうちどれが実際にどのディスプレイパネルに提供されているかを識別できない。本発明の１つの態様によれば、ドライバは、および／または、ドライバをディスプレイパネルに連結する接続部は、共有出力ポートから受信され対象とされる制御信号をディスプレイパネルが消極的に識別可能にするように構成されている。
【００１７】
図２−ｂは、本発明の他の実施の形態による回路２５の概略的なブロック図である。回路２５は、ＡＳＩＣ２５０と、第１および第２のディスプレイパネル２６０，２７０と、共有される信号送信ライン２３２，２３４とを備えており、信号送信ライン２３２，２３４は、図２−ａで示されるような共有のタイミングバス２３０の一部であっても良い。ＡＳＩＣ２５０は、ライン２３２を介して第１の駆動信号とライン２３４を介して第２の駆動信号とを送ることができるものであり、第１および第２のディスプレイパネル２６０，２７０が起動されるべきか否かを駆動信号対が決定する。さらに、第１のディスプレイパネル２６０は第１の駆動ポート対２１２，２１４を備え、第２のディスプレイパネル２７０は第２の駆動ポート対２２２，２２４を備えている。送信ライン２３２，２３４は、第１および第２の駆動ポート対にＡＳＩＣ２５０を接続する。第１のディスプレイパネル２６０は、図２−ａで示される駆動ポートセット２１５を形成する第１の駆動ポート対２１２，２１４で、信号送信ライン２３２，２３４を介して駆動信号対を受信する。同様に、第２のディスプレイパネル２７０は、図２−ａで示される駆動ポートセット２２５を形成する第２の駆動ポート対２２４，２２２で、信号送信ライン２３２，２３４を介して駆動信号対を受信する。
【００１８】
さらに、最近の市場で使用される一般的なディスプレイパネルに適応させるために、第１のディスプレイパネル２６０および第２のディスプレイパネル２７０を起動するためのここでの駆動信号は両パネルに関して同一である。しかしながら、両ディスプレイパネル２６０，２７０がタイミングバス２３０および／またはデータバス２４０の上で駆動信号対を同時に受信することによって生じる表示エラーを避けるために、信号送信ライン２３２，２３４の共有対を介して第１のディスプレイパネル２１０の第１の駆動ポート対２１２，２１４に１セットの駆動信号対をＡＳＩＣ２５０が出力する。それから、他のセットの駆動信号対が反転されて第２のディスプレイパネル２７０の第２の駆動ポート対２２２，２２４に出力する。要するに、信号送信ライン２３２から出力される第１の駆動信号は、第１の駆動ポート対のうちの第１の駆動ポート２１２と、第２の駆動ポート対のうちの第２の駆動ポート２２４とに同時に送られる。それに対して、信号送信ライン２３４から出力される第２の駆動信号は、第１の駆動ポート対のうちの第２の駆動ポート２１４と、第２の駆動ポート対のうちの第１の駆動ポート２２２とに同時に送られる。
【００１９】
駆動信号対と、上述されたように、第１のディスプレイパネル２１０における第１の駆動ポート対２１２，２１４および第２のディスプレイパネル２２０における第２の駆動ポート対２２２，２２４によって受信される信号との関係は、図２−ｃおよび図２−ｄを参照しながら以下さらに記述される。図２−ｃおよび図２−ｄは、駆動信号対と、図２−ｂにおけるそれぞれの駆動ポート対によって受信される信号との一例を示す概略的なタイミング図である。まず、第１のディスプレイパネル２６０および第２のディスプレイパネル２７０の両方は、図２−ｃで示すように、信号送信ライン２３２，２３４から第１および第２の駆動信号を同時に受信する。さらに、駆動ポート対における第１の駆動ポート（第１の駆動ポート２１２，２２２を含めて）のうちの１つが高電位パルスを受信する時だけ、および、第２の駆動ポート（第２の駆動ポート２１４，２２４を含めて）のうちの１つが低電位パルスを受信する時も、対応ディスプレイパネルが、タイミングバス２３０とデータバス２４０との上で次のデータを起動してそれに応答する。対象とされるディスプレイパネルの選択を表示する外部命令２６（たとえば、携帯電話のカバーを素早く開いた時に２つのディスプレイパネルのうち１つの選択を示す制御信号）に応答して、ＡＳＩＣ２５０は、それぞれのディスプレイパネルを選択的に制御するためにどの信号対が出力されるべきかを決定する。
【００２０】
確かに、ディスプレイパネルにおける２つの駆動ポートを駆動するのに要する電位を変換することが本発明にさらに適切であることは、当業者にとって明白である。
【００２１】
図２−ｃで示すように、第１の駆動ポート対における第１の駆動ポート２１２が高電位パルスを受信するとともに、第２の駆動ポート２１４が低電位パルスを受信するので、タイミングバス２３０およびデータバス２４０の上で次の信号に従って第１のディスプレイパネル２６０が様々な情報を始動させて表示する。それに対し、第２の駆動ポート対における第１の駆動ポート２２２が低電位パルスを受信するとともに、第２の駆動ポート２２４が高電位パルスを受信するので、第２のディスプレイパネル２７０は、タイミングバス２３０およびデータバス２４０の上で次の信号に応答しない。
【００２２】
それに対し、図２−ｄで示すように、信号送信ライン２３２が低電位パルスを出力するとともに、信号送信ライン２３４が高電位パルスを出力するので、第２の駆動ポート対における第１の駆動ポート２２２は高電位パルスを受信するとともに、第２の駆動ポート２２４は低電位パルスを受信し、タイミングバス２３０およびデータバス２４０の上での次の信号に従って第２のディスプレイパネル２７０は様々な情報を始動させて表示する。その一方、この場合には、第１の駆動ポート対における第１の駆動ポート２１２が低電位パルスを受信するとともに、第２の駆動ポート２１４が高電位パルスを受信するので、第１のディスプレイパネル２６０はタイミングバス２３０およびデータバス２４０の上での信号に応答しない。
【００２３】
図３−ａは、本発明の他の実施の形態による回路３０の概略的なブロック図である。その回路は、ＡＳＩＣ３００、第１および第２のディスプレイパネル３１０，３２０、および、信号ライン３３２，３３４を備えている。第１のディスプレイパネル３１０は第１および第２の駆動ポート３１２，３１４の第１の対を有し、第２のディスプレイパネル３２０は第１および第２の駆動ポート３２２，３２４の第２の対を有する。対象とされるディスプレイパネルの選択を示す外部命令３２に応答して、ＡＳＩＣ３００は、それぞれのディスプレイパネルを選択的に制御するためにどの信号対が出力されるべきかを決定する。第１のディスプレイパネル３１０は、第１の駆動ポート対３１２，３１４で信号送信ライン３３２，３３４を介して駆動信号対をそれぞれ受信するものであり、第１のディスプレイパネル３１０が起動されるべきか否かを駆動信号対が決定する。同様に、第２のディスプレイパネル３２０は、第２の駆動ポート対３２２，３２４で信号送信ライン３３２，３３４を介して駆動信号対をそれぞれ受信するものであり、第２のディスプレイパネル３２０が起動されるべきか否かを駆動信号対が決定する。
【００２４】
同様に、最近の市場で使用される一般的なディスプレイパネルに適応させるために、第１のディスプレイパネル３１０および第２のディスプレイパネル３２０を起動するためにここでの駆動信号は両パネルに関して同一である。しかしながら、ディスプレイパネル３１０，３２０の両方がタイミングバスおよびデータバスの上で第１および第２の駆動信号を同時に受信することによって生じる表示エラーを避けるために、ＡＳＩＣ３００は、一対の信号送信ライン３３２，３３４を介して、本発明の第１のディスプレイパネル３１０における第１の駆動ポート対３１２，３１４に駆動信号を出力する。その一方で、駆動信号対を第２のディスプレイパネル３２０に送る前に、駆動信号対は、第１および第２の駆動信号をそれぞれ反転するインバータ３３６，３３８に送られる。その結果、駆動ポートの対応対（本実施の形態では第２の駆動ポート対３２２，３２４）で受信される前にインバータ３３６，３３８を介して駆動号対を反転することにより、表示エラーが避けられる。
【００２５】
駆動信号対と、上述されたように、第１のディスプレイパネル３１０における第１の駆動ポート対３１２，３１４および第２のディスプレイパネル３２０における第２の駆動ポート対３２２，３２４によって受信される信号との関係は、図３−ｂおよび図３−ｃを参照しながら以下さらに記述される。図３−ｂおよび図３−ｃは、駆動信号対と、図３−ａのそれぞれの駆動ポート対によって受信される信号との一例を示す概略的なタイミング図である。まず、ディスプレイパネル３１０，３２０の一方が、図３−ｂで示されるような信号送信ライン３３２，３３４から、適切な駆動信号対を受信する時だけ、たった１つのディスプレイパネルがタイミングバスおよびデータバスの上で次のデータに応答する。要するに、第１のディスプレイパネル３１０および第２のディスプレイパネル３２０にそれぞれ対応する駆動ポート対における第１の駆動ポート（第１の駆動ポート３１２，３２２を含めて）の一方が高電位パルスを受信する時だけ、および、第２の駆動ポート（第２の駆動ポート３１４，３２４を含めて）の一方が同時に低電位パルスを受信する時も、対応するディスプレイパネル３１０またはディスプレイパネル３２０が起動されて表示動作を行う。確かに、ディスプレイパネルにおける２つの駆動ポートを駆動するのに要する電位を交換することが本発明にさらに適切であることは、同業者にとって明らかである。
【００２６】
たとえば、図３−ｂで示すように、ＡＳＩＣ３００は、第１の信号ライン３３２を介して高電位パルスと、第２の信号ライン３３４を介して低電位パルスとを送っている。第１の駆動ポート対における駆動ポート３１２が高電位パルスを受信するとともに、駆動ポート３１４が低電位パルスを受信するので、タイミングバスおよびデータバスの上での次の信号に従って第１のディスプレイパネル３１０は起動されて様々な情報を表示する。第２の駆動ポート対３２２，３２４に到達する前に、信号対がインバータ３３６，３３８で反転される。それに対し、第２の駆動ポート対における第１の駆動ポート３２２が低電位パルスを受信するとともに、第２の駆動ポート対における第２の駆動ポート３２４が高電位パルスを受信するので、ディスプレイパネル３２０はタイミングバスおよびデータバスの上での信号に応答しない。
【００２７】
それに対し、図３−ｃで示すように、ＡＳＩＣ３００は、ライン３３２を介して低電位パルスと、ライン３３４を介して高電位パルスとを送る。第２の駆動ポート３２２，３２４に到達する前に、信号対はインバータ３３６，３３８で反転される。信号送信ライン３３２が低電位パルスを出力するとともに、信号送信ライン３３４が高電位パルスを出力する時に、第２の駆動ポート対における第１の駆動ポート３２２が高電位パルスを受信するとともに、第２の駆動ポート対における第２の駆動ポート３２４は低電位パルスを受信し、タイミングバスおよびデータバスの上での次の信号に従ってディスプレイパネル３２０は起動されて様々な情報を表示する。それに対し、第１の駆動ポート対における第１の駆動ポート３１２が低電位パルスを受信するとともに、第２の駆動ポート３１４が高電位パルスを受信するので、ディスプレイパネル３１０はタイミングバスおよびデータバスの上での信号に応答しない。
【００２８】
図４−ａは、本発明の他の実施の形態による回路４０のさらに他の概略的なブロック図である。ディスプレイパネル４１０は、イネーブルポート４１２で受信される信号に従って表示動作を起動しまたは起動しない。同様に、ディスプレイパネル４２０は、イネーブルポート４２２で受信される信号に従って表示動作を起動しまたは起動しない。しかしながら、ディスプレイパネル４１０およびディスプレイパネル４２０の両方がタイミングバスとデータバスとの上で信号を同時に受信することによって生じる表示エラーを避けるために、信号送信ライン４３０を介してＡＳＩＣ４００から出力されたイネーブル信号は第１のディスプレイパネル（すなわちディスプレイパネル４１０）の第１のイネーブルポート（本発明ではイネーブルポート４１２）に直接送られ、インバータ４３２で発生される反転信号は、第２のディスプレイパネルに電気的に接続された第２のイネーブルポート（本発明ではイネーブルポート４２２）に送られる。
【００２９】
ＡＳＩＣ４００で出力されるイネーブル信号は外部命令４２に従ってＡＳＩＣ４００で決定される。イネーブル信号と、上述されたように、イネーブルポート４１２，４２２で受信される信号との関係は、図４−ｂおよび図４−ｃを参照しながら以下さらに記述される。図４−ｂで示すように、信号送信ライン４３０から出力されるイネーブル信号が高電位である時に、イネーブルポート４１２は、同一高電位のイネーブル信号を受信する。しかしながら、イネーブル信号がインバータ４３２を介してイネーブルポート４２２に送られるので、イネーブルポート４２２で受信される信号は低電位の信号になる。同様に、図４−ｃで示されるように、信号送信ライン４３０から出力されるイネーブル信号が低電位である時に、イネーブルポート４１２は同一低電位のイネーブル信号を受信し、イネーブルポート４２２で受信される信号は高電位の信号になる。それ故に、ディスプレイパネル４１０およびディスプレイパネル４２０はタイミングバスおよびデータバスの上での信号に同時に応答しないので、表示エラーは避けられる。
【００３０】
さらなる実施の形態では、第１および第２のディスプレイパネルは、ドライバからの共有出力から受信される信号に相違して応答するように互いに構成されても良い。たとえば、２つのディスプレイパネルのうち一方が、駆動ポートで組み込みインバータを含めることなどによって、反転して受信信号に応答するように内部に構成されても良い。
【００３１】
要するに、本発明は、繰り返して表示エラーを生じさせずに、１セットのタイミングバスおよびデータバスを備える２つのディスプレイパネルを同時に制御できる回路構成を提供する。それ故に、発明は、ＡＳＩＣによって必要とされるピンの数を低減可能にし、梱包コストをも低減し、および、設計を簡略化する。
【００３２】
発明が特定の実施の形態に関して記述されたけれども、記述された実施の形態に対する変更が本発明の趣旨から逸脱しない範囲内でなされることは、当業者にとって明らかである。従って、発明の請求の範囲は、上記の記述ではなく添付の請求項によって規定される。
【図面の簡単な説明】
【００３３】
【図１】ＡＳＩＣを使って従来の２つのディスプレイパネルを駆動する回路の概略的なブロック図である。
【図２−ａ】本発明の一実施の形態による電子デバイスの概略的なブロック図である。
【図２−ｂ】本発明の一実施の形態による回路の概略的なブロック図である。
【図２−ｃ】駆動信号対と図２−ｂにおけるそれぞれの対の駆動ポートで受信される信号とを示す概略的なタイミング図である。
【図２−ｄ】駆動信号対と図２−ｂにおけるそれぞれの対の駆動ポートでよって受信される信号とを示す概略的なタイミング図である。
【図３−ａ】本発明の他の実施の形態における回路の概略的なブロック図である。
【図３−ｂ】駆動信号対と、図３におけるそれぞれの対の駆動ポートで受信される信号とを例示する概略的なタイミング図である。
【図３−ｃ】駆動信号対と、図３におけるそれぞれの対の駆動ポートで受信される信号とを例示する概略的なタイミング図である。
【図４−ａ】本発明の他の実施の形態による回路の概略的なブロック図である。
【図４−ｂ】イネーブル信号と、図４−ａにおけるそれぞれのイネーブルポートで受信される信号とを示す概略的なタイミング図である。
【図４−ｃ】イネーブル信号と、図４−ａにおけるそれぞれのイネーブルポートで受信される信号とを示す概略的なタイミング図である。
【符号の説明】
【００３４】
２０      電子デバイス
２１      制御回路
２２      信号ライン
２３      駆動回路
２００    制御デバイス
２０２    プロセッサ
２０５    共有出力ポート
２１０    ディスプレイデバイス
２１５    駆動ポート
２２０    ディスプレイデバイス
２２５    駆動ポート
３３６    インバータ
３３８    インバータ
【図１】
2004334203.tif 000003
【図２−ａ】
2004334203.tif 000004
【図２−ｂ】
2004334203.tif 000005
【図２−ｃ】
2004334203.tif 000006
【図２−ｄ】
2004334203.tif 000007
【図３−ａ】
2004334203.tif 000008
【図３−ｂ】
2004334203.tif 000009
【図３−ｃ】
2004334203.tif 000010
【図４−ａ】
2004334203.tif 000011
【図４−ｂ】
2004334203.tif 000012
【図４−ｃ】
2004334203.tif 000013